(57)【要約】      （修正有）【課題】バッテリーに常に効率的に充電をしつつバッテリーの電気のみを使用するため、消費燃料を使う事も無く発電をすることが出来る、バッテリーを動力源とし遠心力を利用した遠心力回転盤発電機を提供する。【解決手段】抵抗なく滑らかに回転する円形状の外周を持つ回転盤３と、モーター２、オルタネーター等の発電機４、バッテリー１の４種類を組み合わせて取り付け、バッテリー１を電源としてモーター２を回し回転盤３を回転させて、回転盤３につないだ発電機４で起こる電気を使ってバッテリー１に充電することでバッテリー１を安定させながら、同じく回転盤３に接続した他の発電機９で外部に送電するもので、モーター２の回転と回転盤３の遠心力の相乗効果で、複数取り付けた発電機を勢いよく回してバッテリー１に充電すると共に、外部へ送電をすることができる。【選択図】図１
0003186042.tif 000002
【実用新案登録請求の範囲】
【請求項１】
バッテリーに蓄えられた電気を使ってモーターを回して遠心力回転盤に回転を与える。
次に、モーターへの送電を止め、モーターの回転を離れて独自に遠心力で回る回転力で発電気を回してバッテリーに送電し充電をする。さらにモーターで遠心力回転盤に回転を加えてモーターの送電を止める。これを一定の間隔で繰り返すことで、バッテリーの安定を保ちながらバッテリー内の電気を有効に利用することが出来るために、バッテリーを動力源とすることを特徴とする遠心力回転盤発電機である。
【請求項２】
バッテリーに蓄えられた電気でモーターを回して、モーターの回転力で遠心力回転盤を回転させて、遠心力で勢いよく回る遠心力回転盤の回転力で、発電機を回して発電をしてバッテリーに充電すると共に外部への送電を行う。遠心力で回転する遠心力回転盤を利用したことを特徴とする遠心力回転盤発電機である。
【請求項３】
遠心力回転盤は瞬間的に一時回転を与えると遠心力で回転する形状のものとする。
【考案の詳細な説明】
【技術分野】
【０００１】本考案は、バッテリーに蓄えられた電気でモーターを回してモーターの回転力で遠心力回転盤を回転させて、遠心力で勢いよく回る遠心力回転盤の回転力で発電機を回して発電してバッテリーに充電すると共に、外部への送電を行う、遠心力を利用した遠心力回転盤発電機である。
【背景技術】
【０００２】  従来の発電システムには石油などの消費燃料を使うもの、風力や水力、又太陽熱を利用して発電するものがあり、バッテリーに消費燃料を使用せずに発電機を使って充電するものとしては、自動車の惰行運転時に充電するものがある。
【先行技術文献】
【特許文献】
【０００３】
【非特許文献】
【０００４】
【考案の概要】
【考案が解決しようする課題】
【０００５】  発電するには石油などの消費燃料を必要とし、また風力においては風の無い時には発電が出来ず、太陽熱発電では夜は発電が出来ない。
電気自動車においては惰行運転時にバッテリーに充電するが、さほどの充電は期待できない。
【課題を解決するための手段】
【０００６】  バッテリーに蓄えられた電気でモーターを回し遠心力回転盤を回転させて、その回転を発電機につないで電気を起こして外部へ送電をする。
モーターを止めても、遠心力で勢いよく回る遠心力回転盤の回転力で発電機を回して発電した電気をバッテリーに送り充電すると共に外部への送電を行う。
その際、モーターが稼働する間はバッテリーの充電を停止する。モーターの電源を切ってバッテリーの充電を再開し、再びバッテリーの充電を止めてモーターを稼働して遠心力回転盤を回す、この動作を一定の間隔で繰り返す事により、バッテリーの安定を保つと共に外部への送電が可能となる。
【考案の効果】
【０００７】  本考案は、バッテリーの電気を充電を繰り返しながら使うために、消費燃料を使うこともなく、どのような条件下でも長期的に発電が出来る。
【図面の簡単な説明】
【０００８】
【図１】「実施例を示した平面図」
【図２】「遠心力回転盤を水平に設置した側面の断面図」
【図３】「遠心力回転盤を縦向きに設置した上面の断面図」
【考案を実施するための形態】
【実施例１】
【０００９】本考案の実施例を［図１］の平面図に基づいて説明する。
１バッテリーに蓄えられた電気で２モーターを稼働して３遠心力回転盤を回してその回転を４発電機に伝えて発電をする。４発電機で起こした電気を８外部へ送電をすると共に１バッテリーに送り充電をする。
その際、５交互スイッチを介して２モーターが稼働するときは４発電機と１バッテリーをつないだ７スイッチを切りにしておく、その後２モーターの６スイッチを切り遠心力で勢いよく回転を続ける３遠心力回転盤と伝動して回る４発電機と１バッテリー間の７スイッチを入りにして１バッテリーへ充電する。さらに７スイッチを切って１バッテリーの充電を中断した後６のスイッチを入れて再び２モーターを動かす、６．７のスイッチを交互に切り替えることで３遠心力回転盤は回転力を弱める事無く、連続して回転を続け４発電機を回し続けることにより１バッテリーを動力源として長期にわたり発電を続けることが出来る。
【実施例２】
【００１０】［図２］
３遠心力回転盤が２モーターの力を離れて自力で回転をする時、２モーターによる抵抗を無くすために１０ブーリーに１１フリーホイールを取り付けて１０ブーリーが空転するようにする、３遠心力回転盤が抵抗なく回るように１６芯棒の先端部分を丸くする、また１３ベアリングと１５オイルを使用する事により、抵抗が無くなりスムーズに回転が出来る。
【実施例３】
【００１１】［図３］
遠心力回転盤を縦に設置することにより、遠心力による回転の力は水平に設置したのに比べると劣るが設置が簡単であり安定性に優れている。
【産業上の利用可能性】
【００１２】  本考案は、自然の力を必要とせず天候にも影響されず、バッテリーに常に効率的に充電をしながらバッテリーの電気のみを使用するため、消費燃料を使う事も無く発電をする事が出来るために、経済的かつ有効的に利用することが出来る。
一般住宅、工場、病院などの各施設に設置にすれば経済的である。【００１３】  電気自動車に設置すれば、自動車を停止している間に本考案を稼働して電気自動車の主バッテリーに充電する事により、外部より充電する事無く長期走行が可能となる。【００１４】  本考案を複数設置し、また本考案の大型を数台設置して電気の力でお湯を沸騰させてその蒸気でタービンを回して発電する事も可能である。
【符号の説明】
【００１５】１．動力源のバッテリー              ２．モーター
３．遠心力回転盤                    ４．発電機
５．交互スイッチ                    ６．交互スイッチ内のモータースイッチ
７．交互スイッチ内の充電スイッチ    ８．外部送電
【図１】
0003186042.tif 000003
【図２】
0003186042.tif 000004
【図３】
0003186042.tif 000005
【手続補正書】
【提出日】平成25年1月24日(2013.1.24)
【手続補正１】
【補正対象書類名】明細書
【補正対象項目名】全文
【補正方法】変更
【補正の内容】
【考案の詳細な説明】
【技術分野】
【０００１】  本考案は、円形状の外周を持つ回転盤を、抵抗なく滑らかな回転が出来るように取り付けて、バッテリーを電源としたモーターの回転と同時に回転盤が回転するようにし、回転盤が回れば、それと同時に回るように発電機を取り付けて、バッテリーに充電出来るように配線、バッテリーを動力源としてモーターを稼働し、回転盤を回転して発電機で起こる電気をバッテリーに充電する事でバッテリーを安定させ続けて、モーターの回転力と回転盤の遠心力の相乗効果で、勢いよく回転を続ける遠心力回転盤に連なる発電機で、バッテリーに充電すると共に、同じく回転盤と連動する他の発電機で外部への送電を行うものでである。
【背景技術】
【０００２】  従来の発電システムには石油などの消費燃料を使うもの、風力や水力、又太陽熱を利用して発電するものがある。
【考案が解決しようとする課題】
【０００５】  発電するには石油などの消費燃料を必要とし、また風力においては風の無い時には発電が出来ず、太陽熱発電では夜は発電が出来ない。
【課題を解決するための手段】
【０００６】抵抗なく滑らかに回転する円形状の外周を持つ回転盤と、モーター、オルタネーター等の発電機、バッテリーの４種類を組み合わせて取り付け、バッテリーを電源としてモーターを回し回転盤を回転させて、回転盤につないだ発電機で起こる電気を使ってバッテリーに充電することでバッテリーを安定させながら、同じく回転盤に接続した他の発電機で外部に送電するもので、モーターの回転と回転盤の遠心力の相乗効果で、複数取り付けた発電機を勢いよく回してバッテリーに充電すると共に、外部へ送電をすることができる。
【図面の簡単な説明】
【０００８】
【図１】１  実施例を示した「平面図」２「側面の断面図」
【図２】１  バッテリー２台設置の「配線図」２  バッテリー１台設置の「配線図」
【図３】１遠心力回転盤を縦向きに設置した「側面図」２「平面断面図」
【実施例１】
【０００９】本考案の実施例を「図１」の１平面図、２側面の断面図に基づいて説明する。円形状の外周をした回転盤３が、バッテリー１を電源として稼働するモーター２の力を得て回転するが、モーター２の力を離れても自力で抵抗なく滑らかな回転をするためにベアリング７を取り付け、モーター２が休止状態の時モーター２による抵抗を無くし、回転盤３が滑らかに回転できるようにブーリー８にフリーホイール９を持ちいてブーリー８が空転するようにして、芯棒１１の先端部分を丸く、底部分にオイル１０を充填する事で抵抗を抑えて滑らかな回転が出来る。
【実施例２】
【００１０】  「図２」１バッテリー２台設置の「配線図」の説明バッテリー１ａ、とバッテリー１ｂの２台を交互に使ってモーター２を回して回転盤３を回転させ、回転盤３と同時に稼働する発電機４でバッテリー１ａとバッテリー１ｂに交互に充電するもので、交互スイッチ６内の出力スイッチ１２ａと充電スイッチ１５ｂを同時につないで、バッテリー１ａの電気でモーター２を動かしている間にバッテリー１ｂに充電をし、出力スイッチ１３ｂと充電スイッチ１４ａを同時につないで、バッテリー１ｂの電気でモーター２を稼働すると同時にバッテリー１ａに充電をしていく、バッテリー１ｂの出力スイッチ１３ｂとバッテリー１ａの充電スイッチ１４ａの２つの接点を同時に、バッテリー１ａの出力スイッチ１２ａとバッテリー１ｂの充電スイッチ１５ｂの２つの接点を、同時に数秒間隔で切り替えていく事で、バッテリー１に充電しながらモーター２は止まる事なく回転を続け、回転盤３と発電機４も回転を続けていき、遠心力回転盤３の遠心力とモーター２の回転力の相乗効果で発電機４の力強い回転を生み出し、それぞれ２台のバッテリー１を安定させながら、回転盤３に連動した他の交流発電機５を稼働して外部２１へ送電することが出来る、バッテリー１でモーター２を稼働させるためにインバーター１６で直流電気を交流電気に変換してモーター２につなぎ、バッテリー１の電気が逆流しないようにバッテリー１と直流発電機４の間にダイオード１８を取り付け、バッテリー１の過充電を防止するためにレギュラータ１７を取り付ける。  「図２」２バッテリー１台設置の「配線図」の説明バッテリー１の出力スイッチ１９を入れる事でモーター２を回転させ、その回転で回転盤３を回転させて、回転盤３につながる直流発電機４で起きる電気をバッテリー１に充電するがその際、出力スイッチ１９と充電スイッチ２０を切り替えて充電して、さらに充電スイッチ２０から出力スイッチ１９に切り替えて再びモーター２を稼働し、回転盤３を回して充電スイッチ２０に切り替えてバッテリー１に充電をする、交互スイッチ６の出力スイッチ１９と充電スイッチ２０を数秒間隔で交互に入れ替えることでモーター２は稼働と休止を繰り返して、回転盤３はモーター２の力と自力の遠心力の回転を繰り返して、それに同調する発電機４を回し続けてバッテリー１に充電をすると共に、同じく回転盤３につながる他の発電機５で外部へ送電２１をする、その際バッテリー１でモーター２を稼働させるために、インバーター１６で直流電気を交流電気に変換してモーター２につなぎ、またバッテリー１の電気が逆流しないようにバッテリー１と直発電機４の間にダイオード１８を取り付け、そしてバッテリー１の過充電を防止するためにレギュラーター１７を取り付ける。  「図３」遠心力回転盤を縦に設置した側面図、平面の断面図、縦型にする事で場所によっては設置しやすくなる。
【産業上の利用可能性】
【００１２】  本考案は、自然の力を必要とせず天候にも影響されず、バッテリーに常に効率的に充電をしながらバッテリーの電気のみを使用するため、消費燃料を使う事も無く発電をする事が出来るために、経済的かつ効率的に利用することが出来る、一般住宅、コンビニ、スーパー、工場、病院などに設置すれば経済的である。【００１３】
【００１４】  本考案を複数設置し、また本考案の大型を数台設置して電気の力でお湯を沸騰させてその蒸気でタービンを回して発電することも可能であり、本考案を小型化して冷蔵庫などに設置し自家発電を備えた冷蔵庫を造ることも可能となり電気代の掛からない冷蔵庫、停電時、災害時にそなえることができる。
【符号の説明】
【００１５】１．動力源のバッテリー              ２．モーター３．遠心力回転盤                    ４．直流発電機５．交流発電機     ６．交互スイッチ２１．外部送電１ａ．バッテリー １ｂ．バッテリー
【手続補正２】
【補正対象書類名】実用新案登録請求の範囲
【補正対象項目名】全文
【補正方法】変更
【補正の内容】
【実用新案登録請求の範囲】
【請求項１】
抵抗なく滑らかな回転をする円形状の外周を持つ回転盤と、モーター、オルタネーター等の発電機、バッテリーの４種類を組み合わせて取り付け、バッテリーの電源でモーターを稼働して回転盤を回転させる事で、モーターの回転力と回転盤の遠心力の相乗効果により回転盤は力強く回転を続け、それに連動した発電機でバッテリーに繰り返し充電しながらバッテリーの電気を送ってモーターを回し続け、同じく回転盤に連動する他の発電機で外部への送電をすることを特徴として、バッテリーの性質とモーターの回転力と回転盤の遠心力を利用した遠心力回転盤発電機。
【手続補正３】
【補正対象書類名】図面
【補正対象項目名】全図
【補正方法】変更
【補正の内容】
【図１】
0003186042.tif 000006
【図２】
0003186042.tif 000007
【図３】
0003186042.tif 000008